Podtech/llm-jp-corpus-v4-ja_patent huggingface dataset:
(57)【要約】      （修正有）【課題】犬の散歩に行った時、犬の排尿を簡単に片手で水をかけて流すことが出来る水かけ器具を提供する。【解決手段】ペットボトル３と、ペットボトル３に取り付けられるペットボトル用キャップ２とを備える犬の排尿に水をかけて流す水かけ器具であって、ペットボトル用キャップ２に送水管１を設ける。【選択図】図１
0003211153.tif 000002
【実用新案登録請求の範囲】
【請求項１】
この器具図１は犬の排尿に水をかけて流す水かけ器具
【請求項２】
図２ペットボトル用キャップ（２）と送水管（１）は一体型で、プラスチックで形成され、ペットボトルに取り付けることができる
【請求項３】
図２送水管（１）は円形にして１回転することにより指で引っ掛けて取り出しやすく、手さげカバンの内側に引っ掛けることが出来、送水管が細いことで的が絞りやすく、ペットボトルを横にしても水がこぼれない
【考案の詳細な説明】
【技術分野】
【０００１】本考案は犬の排尿に水をかけて流す水かけ器具
【背景技術】
【０００２】犬の散歩に行った時、犬の排尿に水をかけて流すのですが、ペットボトルの蓋を開閉している時犬は動くし、的が定まらず、蓋を開閉するのに片手で出来ない為かんたんに水をかける事が出来ない
【考案の概要】
【考案が解決しようとする課題】
【０００３】犬の散歩に行った時、犬の排尿を簡単に片手で水をかけて流すことが出来る
【課題を解決するための手段】
【０００４】犬が排尿をした後水をかけて流すのですが、ペットボトルを取り出しにくく、蓋の開閉が片手で出来ない、的が絞りにくく流しにくかった、よってこれらの問題を解決出来るように考案してある
【考案の効果】
【０００５】本考案は犬が排尿をした後に、水かけ器具の輪に指を引っ掛けてペットボトルを簡単に取り出し、ペットボトルを手で握り的を定めて水をかけて流すことが出来、手さげカバンのふちに引っ掛けることも出来、蓋の開閉がなく、横にしても水がこぼれない、持ち運びが楽で取り扱いが簡単
【図面の簡単な説明】
【０００６】
【図１】ペットボトルと水かけ器具の全体図
【図２】ペットボトル用キャップと一体型の送水管
【考案を実施するための形態】
【０００７】ペットボトルに装着された水かけ器具は犬が排尿をした所に送水管の先を向けてペットボトル握り水をかけて流す
【実施例】
【０００８】ペットボトル（３）に水を入れて、送水管と一体型のペットボトル用キャップ（２）を装着し、犬が排尿した所に送水管（１）を向けてペットボトル握り水をかけて流す【０００９】ペットボトル（３）に装着されたキャップ付き送水管（１）は的が絞れて水が飛び散らなく流しやすく横にしても水がこぼれない
【符号の説明】
【００１０】１  送水管
２  ペットボトル用キャップ
３  ペットボトル
【図１】
0003211153.tif 000003
【図２】
0003211153.tif 000004
【手続補正書】
【提出日】平成29年3月27日(2017.3.27)
【手続補正１】
【補正対象書類名】実用新案登録請求の範囲
【補正対象項目名】全文
【補正方法】変更
【補正の内容】
【実用新案登録請求の範囲】
【請求項１】
ペットボトル（３）と、ペットボトル（３）に取り付けられるペットボトル用キャップ（２）とを備える犬の排尿に水をかけて流す水かけ器具であって、ペットボトル用キャップ（２）に送水管（１）を設けることを特徴とする水かけ器具。
【請求項２】
ペットボトル用キャップ（２）と送水管（１）は一体型で、プラスチックで形成さえることを特徴とする請求項１に記載の水かけ器具。
【請求項３】
送水管（１）は円形にして１回転することにより指で引っ掛けて取り出しやすく、手さげカバンの内側に引っ掛けることが出来、送水管が細いことで的が絞りやすく、ペットボトルを横にしても水がこぼれないことを特徴とする請求項１または２に記載の水かけ器具。
(57)【要約】      （修正有）【課題】ゴミの形状が円柱状や円錐状の場合に発生する抱え込む作業、およびゴミなどが付着している場合や埋もれているゴミを引き出す場合の掴む作業を一つの用具で行えるゴミはさみを提供する。【解決手段】ゴミはさみのはさみ部平面を熊手のように枝状に分割し、その先端部を内側に爪を立てるように折り曲げる。先端部近傍に円形のゴミを滑ることなく掴めるように凹凸を設けてもよい。また、枝状部と爪部の強度を確保するために焼き入れの熱処理を施す。これによりゴミ等を掴む・抱える・挟むの作業を一つの用具で行える。【選択図】図１
0003211186.tif 000002
【実用新案登録請求の範囲】
【請求項１】
ゴミ等を挟むはさみ部平面を熊手状にしたことで、ゴミ等を掴む・抱える・挟むの作業を一つの用具で行えるようにしたゴミはさみ
【考案の詳細な説明】
【技術分野】
【０００１】
本考案はゴミはさみのはさみ部の形状に関するものである。
【背景技術】
【０００２】
従来ゴミはさみは、金ｊ属の平板を折り曲げて、支点・力点・作用点をもって構成している。
支点に当たる部位ではバネの作用をして形状を復元する作用を兼ねている。
力点に当たる握り部でははさみの胴になる部分が変形しないように断面を曲面に加工してある。
そして作用点に当たるはさみ部を平面状にしてゴミなどをはさむ構造となっている。
この為、ゴミの形状が円柱状や円錐状の場合に発生する抱え込む作業や、ゴミなどが付着している場合、ゴミが埋もれて引き出す場合には掴む作業がうまくできなかった。
本考案ではこの、ゴミ等を掴む・抱える・挟むの作業を一つの用具で行えるようにした。
【考案の概要】
【考案が解決しようとする課題】
【０００３】
ゴミの形状が円柱状や円錐状の場合に発生する抱え込む作業や、ゴミなどが付着している場合、ゴミが埋もれて引き出す場合には掴む作業がうまくできなかった。
【課題を解決するための手段】
【０００４】
ゴミはさみのはさみ部平面を枝状に分割し、その先端部を内側に爪を立てるように折り曲げる。
枝状部と爪部の強度を確保するために焼き入れの熱処理を施した。
こうして、ゴミはさみの作用点に当たるはさみ部平面を熊手状にすることで解決した。
【考案の効果】
【０００５】
環境美化の原点ともいえるごみ等の処理の最前線で行う作業がごみ拾い集めである。
ごみ等も分別収集することでリサイクル資源となり、環境保全・省エネルギーに大きく貢献できる。
ごみ等の形状・大きさ・材質・質量の違いや、濡れて張り付いている、あるいは土中に埋もれたりする形態等によって、掴む・抱え込む・挟む・引き出すという作業が伴うが、本考案では一つの用具ですべての作業が確実に行えるため、時間・道具の節約となる。
【図面の簡単な説明】
【０００６】
【図１】ゴミはさみを正面から見た図。a/a'  b/b'  c/c'  はそれぞれの位置の断面を見る位置である。それぞれの部位の断面形状はたわみを防ぐために構造的に強度を持たす工夫としている。
【図２】ゴミはさみを側面から見た図。
【図３】ゴミはさみのはさみ部を拡大した正面図。掴み部の凸凹で円形のものも滑ることなく掴める構造としている。先端部はものを噛むように掴む構造で滑りにくく、ごみを確実に掴むことができる。
【図４】ゴミはさみのはさみ部を拡大した側面図。掴み部の凸凹を、点線は山折り、一点鎖線は谷折りとして示す。先端部は熊手状に広げて様々な形状・大きさのごみも掴める構造としている。
【図５】各部位の断面の形状を示す。
【産業上の利用可能性】
【０００７】
人間の生活空間には様々なものがごみ等になって排出される。
環境の美化、資源のリサイクルを推進するにあたってごみ等の分別収集が必要である。
街路樹の落葉も濡れ落葉となると路面に張り付いて取り除きが厄介である。
また、土砂に埋もれかけたごみを取り出すのも困難な作業となる。
円筒型の空き缶・ペットボトル・空き瓶となるとさらには抱え込むように挟む作業となる。
本考案のゴミはさみであれば、一つの用具で万能にこなせる為、迅速・確実に環境美化、資源リサイクル、環境保全に貢献することが可能である。
【図１】
0003211186.tif 000003
【図２】
0003211186.tif 000004
【図３】
0003211186.tif 000005
【図４】
0003211186.tif 000006
【図５】
0003211186.tif 000007
(57)【要約】      （修正有）【課題】複数の扇面と中骨とをプラスチックシートを使用した一体構造で作成することにより、製造工程の簡略化、コストダウンを図った扇子を提供する。【解決手段】薄手のプラスチックシートを用いトムソン型で打ち抜かれた複数の物品の、一辺または両辺に施された折り罫ａ１〜ａ６を折り込むことで現れる扇形を複数組み合わせ、組み合わせた物品の下部にあらかじめ施された孔ｋ１〜ｋ８を留め具により貫通させることで留め具を支点として開閉可能な扇子とする。【選択図】図１
0003211190.tif 000002
【実用新案登録請求の範囲】
【請求項１】
薄手のフィルム材料を用いトムソン型で打ち抜かれた複数の物品の、一辺または両辺に施された折り罫を折り込むことで現れる扇形を複数組み合わせ、組み合わせた該物品の下部にあらかじめ施された孔を留め具により貫通させることで留め具を支点として開閉可能な扇子となることを特徴とする販促用プラスチック製扇子。
【請求項２】
請求項１に記載の販促用プラスチック製扇子はトムソン型で打ち抜かれた複数の物品の一辺または両辺に施された折り罫に連続して現れる余地同士を折り罫から折り込んだ状態で嵌合させることで、物品同士の離脱を防ぎ、複数の扇型よりなる扇子として使用できることを特徴とする。
【請求項３】
請求項１に記載のフィルム材料に対する印刷は、オフセット印刷を用いて絵や文字、写真、模様を印刷したことを特徴とする販促用プラスチック製扇子。
【考案の詳細な説明】
【技術分野】
【０００１】  本考案は主として、フイルムシート材料に対して多目的に使用できる利便性の高いノベルティー商品に関するものである。
【背景技術】
【０００２】  従来の扇子は、扇本体と中骨とを組み合わせる事で成立していた。また、素材の多くが紙を使用し、そのことが広告掲載範囲を扇部分に限定していた。
【考案が解決しようとする課題】
【０００３】  従来の扇子の構造である「扇」と「中骨」を一体化し製造加工を簡略化、また素材に起因する耐水性の弱さをプラスチックシートの使用で解決する。
【課題を解決するための手段】
【０００４】  本来、十数枚から数十枚に連なる扇面の山と谷、またそれに対し規則的に接合された中骨によって構成されていた扇子は加工の手間と部材の多さにより必然的に制作費用が高騰していた。本考案である販促用プラスチック製扇子はこれらの事を解消するために、扇面を中骨と一体になった構造で３から６枚作成し、それぞれを嵌合させ、あらかじめ各物品に施した孔に扇の要の代替として合成樹脂でできた嵌合部材を使うことにより作業の簡略化、コストダウンを図るものである。
【考案実施の形態】
【０００５】  図１は本考案の販促用プラスチック製扇子の扇面（Ｏ１）、（Ｏ２）、（Ｏ３）それぞれの平面図である。このとき扇面（Ｏ１）、（Ｏ２）、（Ｏ３）にはそれぞれの物品同士を嵌合させるため、折り罫（ａ１）（ａ２）（ａ３）（ａ４）（ａ５）（ａ６）によって扇面（Ｏ１）、（Ｏ２）、（Ｏ３）と連続しているフック部（ｈ１）（ｈ２）（ｈ３）（ｈ４）（ｈ５）を備えている。また、扇面（Ｏ１）、（Ｏ２）、（Ｏ３）を嵌合したのち、それぞれの扇面の脱落の防止と、扇の開閉を可能にさせるための樹脂製の留め具を貫通させるための孔（ｋ１）（ｋ２）（ｋ３）（ｋ４）（ｋ５）（ｋ６）（ｋ７）（ｋ８）がトムソンで打ち抜かれた状態で備わっている。
【０００６】  図２は本考案の販促用プラスチック製扇子の扇面（Ｏ１）、（Ｏ２）、（Ｏ３）を折り罫（ａ１）（ａ２）（ａ３）（ａ４）（ａ５）（ａ６）にそってフック部（ｈ１）（ｈ２）（ｈ３）（ｈ４）（ｈ５）を折り返し、それぞれを嵌合させ、あらかじめ設けた孔に留め具（Ｈ）を貫通させた状態である。このとき扇面（Ｏ３）は折り罫（ａ１）（ａ２）によってフック（ｈ１）が扇面（Ｏ３）の下部に重なっている状態である。
【０００７】図３は本考案の販促用プラスチック製扇子の扇面（Ｏ２）、（Ｏ３）同士を嵌合させようとした時のフック部（ｈ３）（ｈ４）（ｈ５）の状態を示した斜面図である。このとき（ｈ３）（ｈ４）（ｈ５）はそれぞれ扇面（Ｏ２）（Ｏ３）と折り罫（ａ６）（ａ７）（ａ８）によって順に谷折り、山折、谷折りされた状態である。この状態の扇面同士を組み合わせる事によりフック部（ｈ３）（ｈ４）（ｈ５）はたがいに嵌合し、扇面（Ｏ２）、（Ｏ３）がそれぞれの端まで開閉した場合でも各扇面の離脱を防ぐことが出来る状態である。
【図面の簡単な説明】
【０００８】
【図１】本考案の販促用プラスチック製扇子の平面図
【図２】図１の販促用プラスチック製扇子の完成表裏図
【図３】図１の販促用プラスチック製扇子の嵌合構造の斜面図
【符号の説明】
【０００９】Ｏ１  扇面１
Ｏ２  扇面２
Ｏ３  扇面３
ａ１  折り罫
ａ２  折り罫
ａ３  折り罫
ａ４  折り罫
ａ５  折り罫
ａ６  折り罫
ａ７  折り罫
ｈ１  フック１
ｈ２  フック２
ｈ３  フック３
ｈ４  フック４
ｈ５  フック５
ｋ１  孔１
ｋ２  孔２
ｋ３  孔３
ｋ４  孔４
ｋ５  孔５
ｋ６  孔６
ｋ７  孔７
ｋ８  折り罫８
Ｈ    留め具
【図１】
0003211190.tif 000003
【図２】
0003211190.tif 000004
【図３】
0003211190.tif 000005
(57)【要約】      （修正有）【課題】廃菌床を利用することで、低コストで栄養価の高い、容器に収納した飼料を提供する。【解決手段】飼料は、廃菌床２に乳酸菌３を加えて攪拌し、攪拌後の乳酸菌入り廃菌床２Ａを加熱しながら攪拌することで、少なくともその一部を分解して細粒化して生成され、容器に収納される。【選択図】図２
0003211181.tif 000002
【実用新案登録請求の範囲】
【請求項１】
廃菌床に乳酸菌を加えて攪拌し、攪拌後の乳酸菌入り廃菌床を加熱しながら攪拌することで、少なくともその一部を分解して細粒化して生成し、容器に収納した飼料。
【請求項２】
前記飼料は、加熱しながら攪拌する前に、乳酸菌の活動を活発にするために、所定温度域に所定時間保持してから加熱、攪拌して細粒状に形成されてものであることを特徴とする請求項１に記載の飼料
【考案の詳細な説明】
【技術分野】
【０００１】  本考案は、廃菌床を用いた飼料に関する。
【背景技術】
【０００２】  従来からキノコ類を栽培するのに菌床が用いられいる。この菌床は成長したキノコ類から分離されると廃菌床となり、産業廃棄物として処分されていることが多い。そこで、この廃菌床を再利用することが種々提案されている。例えば特許文献１では、廃菌床を用いた飼料が提案されている。
【先行技術文献】
【特許文献】
【０００３】
【特許文献１】特開２００６−２６５３９号公報
【考案の概要】
【考案が解決しようとする課題】
【０００４】  特許文献１では、生ごみ等の有機性廃棄物を短時間の処理で、低コストの有機質肥料、土壌改良材、発酵促進材及び飼料として再利用することができる方法が提案されているに過ぎない。
本考案は、廃菌床を利用することで、低コストで栄養価の高い飼料を提案することを、その目的とする。
【課題を解決するための手段】
【０００５】  上記目的を達成するため、本考案は、廃菌床に乳酸菌を加えて攪拌し、攪拌後の乳酸菌入り廃菌床を加熱しながら攪拌することで、少なくともその一部を分解して細粒化して生成し、容器に収納した飼料に特徴がある。
この飼料は、加熱しながら攪拌する前に、乳酸菌の活動を活発にするために、所定温度域に所定時間保持してから加熱、攪拌されて細粒化されてものである。
【考案の結果】
【０００６】  本考案によれば、廃菌床に乳酸菌を加えて攪拌し、加熱しながら攪拌することで、少なくともその一部が分解して細粒化するとともに、乳酸菌の醗酵培養が効率よく行われることで栄養価が高くなり、低コストで栄養価の高い飼料を提供することができる。
【図面の簡単な説明】
【０００７】
【図１】本考案に係る飼料を示す図。
【図２】飼料の製造工程を示す図。
【考案を実施するための形態】
【０００８】  以下、本考案の実施形態について図面を用いて説明する。
図１は、本考案に係る飼料１を示す。飼料１は、容器となる袋に小分けして販売する形態と、容器となるコンテナなどに収納して販売する形態とがある。飼料１の原材料は、図２に示す廃菌床２である。廃菌床２は、キノコ栽培業者から回収したものである。この廃菌床２は、コーンコブ、米糖、オカラ、フスマ、ビートパルプ、豆皮、カキガラを主原料としている。
各原料の配合割合の一例を示すと、コーンコブ３５％、米糖３０％、オカラ８％、フスマ８％  ビートパルプ８％、豆皮８％、カキガラ２〜３％である。
【０００９】  この飼料１は、これら原材料である廃菌床２に乳酸菌３を加えて攪拌装置４で攪拌し、攪拌後の乳酸菌入り廃菌床２Ａを加熱装置５で加熱しながら攪拌することで、少なくとも廃菌床２Ａの一部を分解して細粒化して生成したものである。
【００１０】  本形態では、加熱装置５で加熱しながら攪拌する前に、乳酸菌３の活動を活発にするために、所定温度域で所定時間保持する予備加熱を行う。乳酸菌入り廃菌床２Ａを保持する場所は攪拌装置４内であっても良いし、加熱装置５内であってもよい。攪拌装置４内での攪拌後に予備加熱するには、攪拌装置４に加熱手段を設けることで達成することができる。加熱装置５に保持する場合、加熱装置５によって加熱、攪拌する前に予備加熱すればよい。
【００１１】  加熱装置５は、本形態では加熱機能と攪拌機能を備えたもので、３５℃前後の温度域で所定時間（例えば１５分）保持後、およそ６００℃で５分程度加熱しながら攪拌動作することで、廃菌床２Ａが細粒状となり、この細粒状とされたものが飼料１となる。
本飼料１の分析結果を表１に示す。
【表１】
0003211181.tif 000003
【００１２】  本実施形態によると、廃菌床２に乳酸菌３を加えて攪拌装置４で攪拌し、加熱装置５で加熱しながら攪拌することで、少なくともその一部が分解して細粒状になるとともに、乳酸菌３が醗酵培養されて栄養価が高くなる。また、原材料となる廃菌床２は、本来産業廃棄物として処理されるものであるが、これを産業廃棄物として回収するのでは無く、飼料１の原材料となる資源として回収することで、キノコ栽培業者にとっては廃棄物関係の処理コストを低減することができる。
【００１３】  一方、飼料生産者にとっては、本来廃棄される廃菌床２を資源として回収するため、格安で原材料を調達することができ、飼料１の低コスト化を図り易くなる。また、廃菌床２は、キノコ生産者による生産工程において、人間が口にする食品の一部を構成するため、衛生環境が極めて厳しく管理されているので、原材料としての品質が高い。このため、飼料生産者は、安心・安全な飼料１を提供することができるとともに、家畜生産者によっては安心・安全な飼料１を家畜に与えることができるとともに、従来の飼料に比べて購入費用を節約することができる。
【符号の説明】
【００１４】  １        飼料
２        廃菌床
２Ａ      乳酸菌入り廃菌床
３        乳酸菌
【図１】
0003211181.tif 000004
【図２】
0003211181.tif 000005
(57)【要約】【課題】  本考案は、貯水容量が大きく、貯水部の水を最後まで確実に給水でき、注水の際に水が溢れ出ない、底面給水方式の二重構造の園芸用鑑賞鉢を提供する。【解決手段】  本考案は、外鉢１と中鉢２を固定できるようにすることで、中鉢２が外鉢１内の水の浮力により浮き上がることを防ぎ、外鉢１と中鉢２の間の空間を全て貯水部として利用可能にし、吸水棒３を外鉢１の貯水部の底面に接触させることで、最後まで確実に給水可能にし、注水上限の目印５を設けることで、中鉢２を注水した外鉢１に嵌め込んで固定する際に水が溢れ出ないように設計した。【選択図】図１
0003211188.tif 000002
【実用新案登録請求の範囲】
【請求項１】
組み合わせて固定することが可能な外鉢１と中鉢２からなる二重構造の園芸用鑑賞鉢で、貯水部となる外鉢１に注水上限の目印５を有し、中鉢２の底面に設けられた給水孔４に吸水棒３を取り付けた園芸用鑑賞鉢。
【考案の詳細な説明】
【技術分野】
【０００１】  本考案は、底面給水方式を利用した二重構造の園芸用鑑賞鉢に関するものである。
【背景技術】
【０００２】  従来、鉢の下部に貯水機能を備えた外鉢を有した、ひも給水方式の二重構造の鉢は多数存在する。しかし、中鉢の底穴に取り付けられた吸水ひもが濡れている場合、吸水ひもが貯水機能を備えた外鉢の内面に張り付いてしまい、うまく吸水できない事態が少なからず発生した。また従来、根腐れを防ぐためには外鉢の貯水槽の水面は中鉢の底面よりも低くする必要があり、鉢の大きさに対して貯水容量が少ないという欠点があった（特許文献１参照）。
【先行技術文献】
【特許文献】
【０００３】
【特許文献１】実登３２０５５７６
【考案の概要】
【考案が解決しようとする課題】
【０００４】  本考案は、これらの欠点を取り除き、貯水部の水を最後まで確実に吸水でき、鉢内の空間を有効利用し、鉢の大きさに対して貯水容量の大きい、注水時に水が溢れ出ない、底面給水方式を利用した二重構造の園芸用鑑賞鉢を開発しようとするものである。
【課題を解決するための手段】
【０００５】  本考案は、外鉢１、中鉢２、吸水棒３を組み合わせることにより構成される。吸水ひもの代わりに、フェルト製または合成繊維製または合成樹脂製の吸水棒３を用い、中鉢の底面の開口部は吸水棒を差し込むための給水孔４のみとする。また、外鉢１と中鉢２の上部を、ツイストキャップ状あるいはスクリューキャップ状など互いに固定することができる形状にし、外鉢１と中鉢２を固定した状態において、吸水棒３が外鉢１の給水部の底面に接触するようにし、外鉢１には注水上限の目印５を付けておくことで課題を解決している。
【考案の効果】
【０００６】  上述のように、吸水ひもの代わりに吸水棒３を用いる事で、吸水ひもが外鉢１の内壁に張り付いて最後まで吸水できなくなるようなことを防止できる。外鉢１と中鉢２を固定できるようにすることで、外鉢１内の水の浮力により中鉢２が浮き上がらず、外鉢１と中鉢２の間の空間全てを貯水部とすることができ、従来よりも鉢の大きさに対する貯水容量が増えたことで、水を補充する手間が軽減される。中鉢の底面の開口部を吸水棒３と同直径の給水孔４のみとすることで、外鉢１の貯水部から中鉢２内に一気に水が浸入することなく、吸水棒３を通して毛細管現象によって徐々に給水される。吸水棒３を外鉢１の貯水部の底面に接触させておくことで、外鉢１の貯水部内の水が完全になくなるまで中鉢２内に給水される。注水上限の目印５を記しておくことで、注水した外鉢１に中鉢２を嵌め込む際に水が溢れ出てしまうことを防ぐことができる。
【図面の簡単な説明】
【０００７】
【図１】  本考案の断面図。
【図２】  外鉢１の断面図。
【図３】  中鉢２の断面図。
【考案を実施するための形態】
【０００８】  外鉢１の注水上限の目印５まで注水し、そこに中鉢２を嵌め込み、固定する。外鉢１の貯水部から吸水棒３を通して毛細管現象によって徐々に中鉢２へと水が供給される。吸水棒３は外鉢１の貯水部の底面に接しており、外鉢１内の水が完全になくなるまで、中鉢２内に水を供給し続ける。
【符号の説明】
【０００９】１      外鉢
２      中鉢
３      吸水棒
４      給水孔
５      注水上限の目印
【図１】
0003211188.tif 000003
【図２】
0003211188.tif 000004
【図３】
0003211188.tif 000005
(57)【要約】      （修正有）【課題】吠えがうるさい犬が大変夢中になり、吠えや暴れがなくなり、飼育しやすくなる犬用おもちゃを提供する。【解決手段】綿・ビニール・厚手布で作られたザブトン１に、コンセントつきのコード２を連結させたことを特徴とする犬用おもちゃであり、連結部分に犬が大変興味を持つ犬の心理を考えた物で、夢中に遊んでいる間は、静かになる。【選択図】図１
0003211162.tif 000002
【実用新案登録請求の範囲】
【請求項１】
綿・ビニール・厚手布を作られたザブトンに、コンセントつきのコードを連結させたもので、犬の吠え対策が期待できることを特徴とした物品である。
【考案の詳細な説明】
【技術分野】
【０００１】  本考案は、綿・ビニール・厚手布で構成されたサブトンに、コンセントのついたコードを連結させたものである。【０００２】  主に家の中で犬を飼育する際、犬がうるさく吠えることが、よくある。
【考案の開示】
【考案が解決しようとする課題】
【０００３】  主に家の中で犬を飼育する際、犬の吠えがひどくなると、人の心身の健康又は近隣住環境が好ましくない。
【課題を解決するための手段】
【０００４】  本考案は、犬が好む現代的な物を犬に与え、犬が吠えを忘れるくらい、夢中にさせることによって、問題が解決する。
【考案の効果】
【０００５】上記のおもちゃを犬に与えることで、吠えを忘れるくらい夢中になり、吠えなくなり、人の健康に好ましく、住環境生活にも好ましく、吠えがうるさい犬飼育の難しさを軽減出来、飼い主の心身の負担が軽減出来る。（主に、家犬飼育用）
【図面の簡単な説明】
【図１】
0003211162.tif 000003
【符号の説明】
【０００６】１  綿・ビニール・厚手布で構成されたザブトン
２  コンセント付きコード
0003211162.tif 000004
【手続補正書】
【提出日】平成29年4月12日(2017.4.12)
【手続補正１】
【補正対象書類名】実用新案登録請求の範囲
【補正対象項目名】全文
【補正方法】変更
【補正の内容】
【実用新案登録請求の範囲】
【請求項１】
綿・ビニール・厚手布で作られたザブトンに、コンセントつきのコードを連結させたことを特徴とする犬用おもちゃ。
【手続補正２】
【補正対象書類名】明細書
【補正対象項目名】全文
【補正方法】変更
【補正の内容】
【考案の詳細な説明】
【技術分野】
【０００１】  本考案は、綿・ビニール・厚手布で構成されたサブトンに、コンセントのついたコードを連結させたものである。【０００２】  主に家の中で犬を飼育する際、犬がうるさく吠えることが、よくある。
【考案の開示】
【考案が解決しようとする課題】
【０００３】  主に家の中で犬を飼育する際、犬の吠えがひどくなると、人の心身の健康又は近隣住環境が好ましくない。
【課題を解決するための手段】
【０００４】  本考案は、犬が好む現代的な物を犬に与え、犬が吠えを忘れるくらい、夢中にさせることによって、問題が解決する。
【考案の効果】
【０００５】上記のおもちゃを犬に与えることで、吠えを忘れるくらい夢中になり、吠えなくなり、人の健康に好ましく、住環境生活にも好ましく、吠えがうるさい犬飼育の難しさを軽減出来、飼い主の心身の負担が軽減出来る。（主に、室内犬飼育用）
【図面の簡単な説明】
【０００６】
【図１】フカフカのザブトンにコンセントコードを連結させているザブトン
【符号の説明】１  綿・ビニール・厚手布で構成されたザブトン
２  コンセント付きコード
【手続補正３】
【補正対象書類名】図面
【補正対象項目名】全図
【補正方法】追加
【補正の内容】
【図１】
0003211162.tif 000005
(57)【要約】      （修正有）【課題】仮設足場支柱にフック形状の突起付きのクランプを取付け、フック形状の突起に防音パネルを架け取付ける時の取付け・取り外し作業を容易化するとともに、メーター及びインチ規格どちらにも取付ける事ができる仮設足場用防音パネルを提供する。【解決手段】仮設足場支柱の縦方向に溝を有するレール５をクランプ３で取付け、足場上から溝に挿入できるように形成された仮設足場用防音パネル４であって、パネル高さを５７５ｍｍとすることで、安全かつ容易に取付・取り外しができるようになる。また、レールの溝に挿入されたパネル端部に、溝内でインチピッチ時１９．５ｍｍのスペースを設けることでメーターピッチ時は５ｍｍのスペースが得られ、メーター及びインチのどちらの規格にも取付可能となる。【選択図】図３
0003211166.tif 000002
【実用新案登録請求の範囲】
【請求項１】
仮設足場支柱に固定レールを取り付ける事により、固定レール間の上部からパネルを差し込み積み重ねていくことが可能で安全かつ容易にパネルを取り付けることを特徴とする仮設足場用防音パネル。
【請求項２】
固定レールとパネル端との間にできるスペースにより、メーター及びインチのどちらの規格にも取付可能であって、固定レール背面側板によりレールを分割可能とすることで組立後も任意のパネル交換が可能とすることを特徴とする仮設足場用防音パネル。
【考案の詳細な説明】
【図面の簡単な説明】
【０００１】
【図１】本考案に係る防音パネルを示す斜視図である。
【図２】本考案に係る防音パネルを示す平面図である。
【図３】図２に示す防音パネルの一部拡大平面図である。
【図４】本考案に係る防音パネルを示す側面図である。
【図５】本考案に係る防音パネルを示す垂直断面図である。
【符号の説明】
【０００２】
1   建枠
2   布板
3   クランプ
4   防音パネル
5   レール本体
5a 側板
6   ブレース
【図１】
0003211166.tif 000003
【図２】
0003211166.tif 000004
【図３】
0003211166.tif 000005
【図４】
0003211166.tif 000006
【図５】
0003211166.tif 000007
【手続補正書】
【提出日】平成29年4月19日(2017.4.19)
【手続補正１】
【補正対象書類名】実用新案登録請求の範囲
【補正対象項目名】全文
【補正方法】変更
【補正の内容】
【実用新案登録請求の範囲】
【請求項１】
仮設足場支柱の縦方向に溝を有するレールをクランプで取付け、足場上から溝に挿入できるように形成された仮設足場用防音パネルであって、パネル高さを575mmとすることで、安全かつ容易に取付・取り外しができることを特徴とする仮設足場用防音パネル。
【請求項２】
レールの溝に挿入されたパネル端部は、溝内でインチピッチ時19.5mmのスペースがあるのでメーターピッチ時は５ｍｍのスペースで収まることでメーター及びインチのどちらの規格にも取付可能とすることを特徴とする請求項１記載の仮設足場用防音パネル。
(57)【要約】      （修正有）【課題】現今使用している靴と同じく使用でき、加えて、和服と調和する日本式草履足袋形状の靴を提供する。【解決手段】靴の底部、すなわち、ソールの外側周りの外観を、草履の外側周り、すなわち、巻きの外観に模する外観形とし、靴の上部、すなわち、甲・アッパーの外観を、足袋の甲表の外観に模する外観形とし、靴の甲に草履の鼻緒、または、鼻緒に模する模様を付した靴であって、靴製作材料として、一般の靴製作材料である皮革、または、合成皮革、および、ゴムならびに、布を用いた。【選択図】図１
0003211142.tif 000002
【実用新案登録請求の範囲】
【請求項１】
本考案は草履形状と足袋形状を合わせた形状の靴において、従来使用、耐水、防水、撥水、耐用、靴材料高信頼性の材料を用いた靴に関する。
【考案の詳細な説明】
【技術分野】
【０００１】  本考案は草履形状と足袋形状を組み合わせた靴。使用材料は、現代作成している靴材料と同じく、耐水、防水、撥水、耐用、靴材料高信頼性を有する材料、皮革、ゴム、布、合成皮革を用い、機能も現今靴と同じく、形状を草履形状と足袋形状として両者を組み合わせた靴。和服着用時の使用によく適した靴。
【背景技術】
【０００２】  従来、特に和服着用時、和服と調和する日本式草履と日本式足袋を履用していた。しかるに、日本式草履足袋は耐水、防水、撥水に劣り、泥土道、水たまり、雨、雪降り時には足を汚し、荒い土石道では歩行困難であった。
【考案の概要】
【考案が解決しようとする課題】
【０００３】  本考案の靴は、現今使用している靴と同じく使用できる。くわえて、和服と調和する日本式草履足袋形状を考慮。そのうえ、使用材料機能も現今靴と同じく、耐用、耐水、防水、撥水に優れ、泥土道、水たまり、雨、雪降り時にも対応し、荒い土石道でも歩行を良好にする。
【課題を解決するための手段】
【０００４】  本考案の靴は、現今使用している靴と同じく使用できるものとする。和服着用時の履用を良好にするとともに、外観を考慮、靴底部外観を草履形状に仕上げ、草履上足袋部の外観を考慮、足袋形状に合わせ、足袋止め部を表記し。草履の鼻緒を表記する。
【考案の効果】
【０００５】  特に和服着用時の履用に関し。和服着用時、足元を良好に保つ、歩行を良好にする、和服の着用を促進、拡大させる。近年、日本各観光地に海外からの観光者が非常に増加している。その観光地に日本和服姿，殊に女性和服姿を添え、海外からの観光者の日本印象を深くする。そうするに当たり、本考案による草履足袋形状靴、言い換えれば和装靴を履用することにより和装着用者をより多く、したがって、外国からの観光客に限らず日本観光客をふくめて、観光客を引き付けることを期待できる。
【図面の簡単な説明】
【０００６】
【図１】草履足袋形状靴を左斜め上から見た図である。
【考案を実施するための形態】
【０００７】  図１に示す、
【実施例】
【０００８】  図１は草履足袋形状靴、言い換えれば和装靴。
【産業上の利用可能性】
【０００９】  和服着用時、足元を良好に保つ、歩行を良好にする、和服の着用を促進、拡大させる。近年、日本各観光地に海外からの観光者が非常に増加している。その観光地に日本和服姿，殊に女性和服姿を添え、海外からの観光者の日本印象を深くする。そうするに当たり、本考案による草履足袋形状靴、言い換えれば和装靴を履用することにより和装着用者をより多く、したがって、外国からの観光客に限らず日本観光客をふくめて、観光客を引き付けることを期待できる。また、寺院における和服着用者の利用も期待できる。
【符号の説明】
【００１０】１    靴底草履形状部
２    足袋形状部
３    足袋形状部の足袋止め部の表記
４    足袋形状部の鼻緒表記部
【図１】
0003211142.tif 000003
【手続補正書】
【提出日】平成29年3月30日(2017.3.30)
【手続補正１】
【補正対象書類名】実用新案登録請求の範囲
【補正対象項目名】全文
【補正方法】変更
【補正の内容】
【実用新案登録請求の範囲】
【請求項１】
靴の底部、すなわち、ソールの外側周りの外観を、草履の外側周り、すなわち、巻きの外観に模する外観形とし、靴の上部、すなわち、甲・アッパーの外観を、足袋の甲表の外観に模する外観形とし、靴の甲に草履の鼻緒、または、鼻緒に模する模様を付した靴について、当該、靴製作材料として、一般の靴製作材料である皮革、または、合成皮革、および、ゴムならびに、布を用いた靴。
(57)【要約】      （修正有）【課題】干した後、手早く簡易に取りはずしが可能となる洗濯バサミを提供する。【解決手段】１対のつまみ６と、１対のつまみ６に狭力を生じさせるスプリングを備える洗濯バサミにおいて、１対のつまみ６の洗濯物を狭む部分に螺旋状の刻みを有するローラー１２を付加する事により、狭力が増し洗濯物の落下を防止する。また、スプリングを吊り下げる事により、重力を生かし一層強力になる。【選択図】図２
0003211146.tif 000002
【実用新案登録請求の範囲】
【請求項１】
洗濯バサミの、下部のローラに螺旋状の刻みを入れる事により、狭力が増し洗濯物の落下を防止する。
【請求項２】
コイルスプリング部分を、吊り下げる事により、重力を
0003211146.tif 000003
【考案の詳細な説明】
【技術分野】
【０００１】洗濯バサミに関する。
【背景技術】
【０００２】洗濯物を干すのに、洗濯バサミで固定する。
【考案の概要】
【考案が解決しようとする課題】
【０００３】従来型と異なるのは、狭む所が強力になり、なを、かつ洗濯物を、簡易に、取りはずす事が可能となる。
【課題を解決するための手段】
【０００４】本考案は、上記問題を解決する為に螺旋状の刻みローラーを付加し、スプリングで、重力を利用し狭力を利用し、洗濯物の落下防止及び収納が簡易にできる。
【考案の効果】
【０００５】上記のように従来の洗濯物バサミにはない、特徴が有し簡易に収納が早くなり、家事の軽減となる。
【図面の簡単な説明】
【０００６】
【図１】上から見た正面図である。
【図２】片側からの側面図であり、バサミが備える螺旋ローラーで構成
【図３】ローラー部分であり、本考案の核となる。
【産業上の利用可能性】
【０００７】同様の洗濯バサミは流通はなく、家事への負担が軽減され、つまみにてるてる坊主を付加し、楽しさと興味を持つものである。
【符号の説明】
【０００８】１    吊り部分。
２    螺旋状ローラー。
３    ローラーをカバーし、耐久力を持たす。
４    つまみ。
５    つまみ。
６    てるてる坊主型つまみ。
７    強力スプリングの通過穴。
８    材料の削減部分
９    強力スプリングの通過穴。
１０  材料の削減部分。
１１  ローラーの受け軸及びカバー。
１２  ローラーの本体。
１３  軸の凸部分になる。
１４  軸の凹部分になる。
１５  ローラーの受け軸。
【図１】
0003211146.tif 000004
【図２】
0003211146.tif 000005
【図３】
0003211146.tif 000006
【手続補正書】
【提出日】平成29年4月4日(2017.4.4)
【手続補正１】
【補正対象書類名】実用新案登録請求の範囲
【補正対象項目名】全文
【補正方法】変更
【補正の内容】
【実用新案登録請求の範囲】
【請求項１】
１対のつまみと、前記１対のつまみに狭力を生じさせる
スプリングを備える洗濯バサミにおいて、前記１対のつまみの洗濯物を狭む部分に螺旋状の刻みを有するローラーを付加する事により、狭力が増し洗濯物の落下を防止する洗濯バサミ。
【請求項２】
前記スプリングを吊り下げる事により、重力を生かし一層強力になる請求１に対し記載の洗濯バサミ。
(57)【要約】      （修正有）【課題】表皮青果物の保護保存用法に応じた保護保存材料を表面に付した表皮青果物を提供する。【解決手段】表皮青果物１の保護保存材に於いて、ゼラチン、コラーゲンを主とする被膜材４を表皮青果物１の表皮２に付した。【選択図】図１
0003211141.tif 000002
【実用新案登録請求の範囲】
【請求項１】
本考案は、表皮青果物の保護保存材に於いて表皮青果物の保護保存用法に応じた保護保存材料、および、各、保護保存を行う表皮青果物の性質に適した保護保存材料に関する。
【考案の詳細な説明】
【技術分野】
【０００１】  本考案の技術分野は、表皮青果物の保護保存材、したがって、それに伴う、青果物の鮮度長引かせを図る材料に関する。
【背景技術】
【０００２】  従来、青果物を保護保存する場合、フィルムを袋状にして青果物を入れて封じるか、または、フィルムで青果物を包む方法が主である。
【考案の概要】
【考案が解決しようとする課題】
【０００３】  本考案は、表皮青果物の保護保存材に於いて表皮青果物の保護保存用法に応じた保護保存材料、および、各、保護保存を行う表皮青果物の性質に適した保護保存材料に関する。
【課題を解決するための手段】
【０００４】  表皮青果物の保護保存材の一例、ゼラチン、コラーゲンは、食しても安全であり、水溶性、湯水溶性であり、６０℃から８０℃に於いてゾル状をなし、その後、２０℃、３０℃においても、しばらくゾル状をなし、後、固形状をなす。したがって、ゼラチン、コラーゲンは、ゾル状において、表皮青果物表面に付すことが可能であり、後、表皮青果物表面に固形被膜を形成する。そのさい、表皮青果物表面への接着性を良くし被膜を強くする材料、一例として、接着力、接着被膜強さを目的とする膠を混じたゼラチン、コラーゲンとする。そのさい、表皮青果物の保護、汚損、損傷防止、および、呼吸、酸化を少にすることをともに図る。また、撥水材を混じたゼラチン・コラーゲンとすることができる。さらに、表皮青果物保護保存用法に応じた材料、その一例として、安息香酸ナトリウムを混じ、抗菌、防腐性能ゼラチン・コラーゲンとなすことができる。また、各、表皮青果物の性質に応じたゼラチン・コラーゲンとなすにあたり、酢酸、トウモロコシや米から採取した酢、塩分、糖分を混じたゼラチン・コラーゲンとなす。なおなお、植物ホルモン質材を混じる。その場合、青果物成長ホルモ・オーキシン、また、果汁、表皮汁、木汁を混じることが可能であり、表皮青果物保護保ならびに、鮮度長引かせ目的ゼラチン・コラーゲンとなす。本案，ゼラチン・コラーゲンを青果物、および、花の幹、枝、および、茎、ならびに、幹、枝、および、茎、の切り口、ならびに、接ぎ木部に用いることが可能である。しこうして、このような細く長い物質に用いるを件を拡大して、コラーゲンケーシンクを鰻、その他、魚類の被覆に用いることができる。
【考案の効果】
【０００５】  本発明による効果は表皮青果物保護保存を図り、それに伴う鮮度長引かせを図り、ひいて、包装等を図る。
【図面の簡単な説明】
【０００６】
【図１】ゼラチンを表皮青果物の表面に付した場合の断面図である。
【考案実施するための形態】
【０００７】以下、本件の実施の形態を図１に示して説明する。図１において、１の表皮青果物の表皮２と、３の、ほぞ，枝の外面に、４のゼラチン、コラーゲンの被膜を付す。
【実施例】
【０００８】  表皮青果物の表面に付したゼラチン被膜を図１に示す。
【産業上の利用可能性】
【０００９】  表皮青果物作者を始め、青果物取扱い販売業者、および、一般家庭。なお、魚類関係、各所、各企業。
【符号の説明】
【００１０】１  青果物
２  表皮
３  ほぞ、枝
４  ゼラチン被膜
【図１】
0003211141.tif 000003
【手続補正書】
【提出日】平成29年4月4日(2017.4.4)
【手続補正１】
【補正対象書類名】実用新案登録請求の範囲
【補正対象項目名】全文
【補正方法】変更
【補正の内容】
【実用新案登録請求の範囲】
【請求項１】
表皮青果物の保護保存用法に応じた保護保存材料、および、各、保護保存を行う表皮青果物の性質に適した保護保存材料を表面に付した表皮青果物。
(57)【要約】      （修正有）【課題】アクセルとブレーキの誤操作を防止するカラー認識シートを提供する。【解決手段】車のハンドルに装着できるハンドルカバー状であって、ハンドル２を車が直進するように操作したときのハンドル２の最上部１Ｃを中心として、左右を色分け１Ａ、１Ｂし、また、左右色分け１Ａ、１Ｂした左側にＳＴＯＰ、右側にＧＯと表記するようにした。これにより、既存の車を含め容易にハンドル２に装着でき、車の運転者が常時ブレーキとアクセルの位置を視覚で認識できる。【選択図】図１
0003211150.tif 000002
【実用新案登録請求の範囲】
【請求項１】
車のハンドルに装着できるハンドルカバー状であって、
前記ハンドルを車が直進するように操作したときの前記ハンドルの最上部を中心として、左右を色分けすることを特徴とするアクセル・ブレーキ誤操作防止カラー認識シート。
【請求項２】
請求項１記載のアクセル・ブレーキ誤操作防止カラー認識シートにおいて、前記左右色分けした左側にＳＴＯＰ、右側にＧＯと表記することを特徴とするアクセル・ブレーキ誤操作防止カラー認識シート。
【考案の詳細な説明】
【技術分野】
【０００１】  本考案はアクセルとブレーキの誤操作を防止するカラー認識シートに関する。
【背景技術】
【０００２】  従来この種のアクセルとブレーキの誤操作を防止する装置として、特許文献１記載のようにアクセルペダル操作基準位置における踵位置にヒールスイッチを設置し、ヒールスイッチが作動しないときはアクセルを操作してもエンジンへの燃料量を制限するという装置がある。
【先行技術文献】
【特許文献】
【０００３】
【特許文献１】特開２０１５−１６０４５５号  公報
【考案の概要】
【考案が解決しようとする課題】
【０００４】  以上に述べた従来のアクセルとブレーキの誤操作を防止する装置はアクセルペダル操作基準位置における踵位置にヒールスイッチを設置し、ヒールスイッチが作動しないときはアクセルを操作してもエンジンへの燃料量を制限するというようになっているので、構造が複雑で既存の車に、容易に適用することが困難であった。【０００５】  本考案は、このような従来のブレーキとアクセルの誤操作を防止する装置が有していた課題を解決しようとするものであり、簡単な構造で、既存の車を含め、容易で安価に設置可能で、運転中常時アクセルおよびブレーキの操作方向を意識させることを目的としている。
【課題を解決するための手段】
【０００６】  本考案は上記目的を達成するために、車のハンドルに装着できるハンドルカバー状であって、前記ハンドルを車が直進するように操作したときの前記ハンドルの最上部を中心として、左右を色分けするようにしている。【０００７】  このようになっているので、車の運転者は運転中常時ハンドルの色で、ブレーキとアクセルの位置を認識できるようになる。【０００８】  更に本考案は上記目的を達成するために、アクセル・ブレーキ誤操作防止カラー認識シートにおいて、前記左右色分けした左側にＳＴＯＰ、右側にＧＯと表記するようにしている。【０００９】  このようになっているので、車の運転者は運転中常時ハンドルの、文字で、ブレーキとアクセルの位置を認識できるようになる。
【考案の効果】
【００１０】      以上説明したように、本考案のアクセル・ブレーキ誤操作防止カラー認識シートは、ハンドルに装着して、車の運転者の視覚により、ブレーキとアクセルの位置を常時認識させることができ、既存の車にも容易に適用できるアクセル・ブレーキ誤操作防止カラー認識シートを提供できる。
【図面の簡単な説明】
【００１１】
【図１】本考案の実施形態を示すアクセル・ブレーキ誤操作防止カラー認識シートを装着したハンドルの斜視図
【考案を実施するための形態】
【００１２】以下、本考案の実施の形態を図１に基づいて説明する。
【００１３】図１は本考案の実施形態を示すアクセル・ブレーキ誤操作防止カラー認識シートを装着したハンドルの斜視図でハンドル２にアクセル・ブレーキ誤操作防止カラー認識シート（１Ａおよび１Ｂ）が装着されている。アクセル・ブレーキ誤操作防止カラー認識シートの装着は、面マジックテープやアクセル・ブレーキ誤操作防止カラー認識シートとハンドルの間に接着剤をしようすることなどで行う。
【００１４】  アクセル・ブレーキ誤操作防止カラー認識シートは、車を直進するように操作したときの前記ハンドルの最上部１Ｃを境に、左右の１Ａと１Ｂで表示色を変える。例えば、１Ａはブレーキ側で安全を意識させる青色、１Ｂはアクセルを意識して、危険を察知させる赤色とする。なお、ここで示した実施例であり、色は他のどのような色にしても良い。
【００１５】更に、図１に示すようにアクセル・ブレーキ誤操作防止カラー認識シートの１Ａ部にＳＴＯＰ、１Ｂ部にＧＯの表記を付加する。このようにすることで既存の車も含め、容易に設置でき、車の運転者に常時、アクセルとブレーキの方向を視覚により意識付けすることができる。
【符号の説明】
【００１６】    １Ａ  アクセル・ブレーキ誤操作防止カラー認識シートの１つ目の色部
１Ｂ  アクセル・ブレーキ誤操作防止カラー認識シートの２つ目の色部
２    ハンドル
【図１】
0003211150.tif 000003
(57)【要約】      （修正有）【課題】汚物を人に見られる事がなく、臭いが発するのを防ぐこともでき、綺麗に、不快感を感じることなく処理することができる生理用ナプキンの汚物処理紙袋を提供する。【解決手段】生理用ナプキンの汚物を入れて汚物ボックス等に破棄するための紙袋であり、紙袋１の内部に、消臭効果として、消臭剤又は液体を付着させ、ナプキンを入れる開口はジッパー式や、接着テープ等で密封する。【選択図】図１
0003211143.tif 000002
【実用新案登録請求の範囲】
【請求項１】
生理用ナプキンの汚物処理を処理する時、密閉式の紙袋に入れて汚物ボックス等に破棄する、紙袋の内部には、消臭効果として、消臭剤又は液体を付着しておく。又、遮水する事により外部に洩れないように工夫している。ナプキンを入れる開口はジッパー式や、接着テープ等で密封する構造になっている汚物処理紙袋である。
【考案の詳細な説明】
【技術分野】
【０００１】    生理用ナプキンの使用後の処理方法として、携帯で持ち運ぶ事ができる、密閉式の紙袋である。紙袋は封筒のようになっていて、汚物が入るくらいの大きさになる。紙袋の内部には、消臭効果がほどこされ、消臭剤や液体が付着している。外部には、開け口をジッパー式で密閉し、接着テープでもよい。又、絵柄や香りでその品質効果を高める。
この事により、汚物処理が人に見られる事なく汚物ボックスに捨てることができ、マナーの面からも女性の品位を高める事となる。
【背景技術】
【０００２】    現状の生理用ナプキンは、使用後、トイレ等に備え付けられている汚物ボックスに捨てている。しかし、皮膚密着式には、単なる処理紙が付いているだけで密封ではない。そのため、汚物が見えたり、臭いを発したりするため、トイレの利用者や回収する人に不快感を与える。また、特に通称挿入式タンポンは汚物が丸見えで用をなしていないのが現状である。
その他にも、知人宅などへ訪問した際など、処理に困る場合もある。
【考案が解決しようとする課題】
【０００３】    本考案は、生理用ナプキン使用後の後始末についてである。普通は、住宅、公共施設、ホテル等、トイレには必ず汚物ボックスが置かれている。女性が生理中、トイレ等で取り換える際、そのボックスを使用する、という行為の中で取り上げられる問題として、マナーの問題がある。汚物が丸見えでボックスのなかに捨てられており、特に、タンポンは始末が悪い。これらは衛生的にも良いとは言えず、また、それを目撃した利用者や片付ける人はさぞかし不快であろう。
そこで、本考案は、それを解消しようと工夫したものであり、携帯して持ち運ぶ事ができるという利点もある。
又、これは個別で販売可能とするが、普及させるには、ナプキン、タンポンと一体で販売する事が一番の得策である。
【課題を解決するための手段】
【０００４】    ナプキンなどの生理用品をトイレの汚物ボックスに捨てる際、汚物が見えないように密封され、消臭効果のある紙袋で捨てようとするものである。生理用品と一体で携帯して持ち歩くことで、訪問先などで取り換える際、またその後に不快感を与えないようにすることができる。又、トイレの汚物ボックスと一緒に置くこともできる。
【考案の効果】
【０００５】    汚物を人に見られる事もなく、又、臭いが発するのを防ぐこともできる。紙袋の外部には絵柄や香りもあり、綺麗に、不快感を感じることなく処理することが期待できる。
又、日本人のマナーを諸外国に知らせたいものである。
【図面の簡単な説明】
【０００６】
【図１】本考案に係る実施例を示す生理用ナプキン処理紙袋の正面図
【図２】図１に図示の背面図
【図３】図１に図示の右側面図
【考案を実施するための形態】
【０００７】    本考案に係る具体的実施例を図１〜図３を参照して以下説明する。
【実施例】
【０００８】    図１は本考案に係る実施例を示す生理用ナプキンの表面の正面図で、絵柄等をあらわす。又、香りも付けることができる図１の２はジッパーで開閉ができ、汚物を入れる。
図２の３は図１の背面図で、２はジッパーである。図３の４は、ジャバラ式になっており、下部を広くすることにより、数個ナプキンを入れることができる。２は、側面から見たジッパーである。この紙袋の内部には、遮水性がある素材、消臭剤を用い、汚物の臭いを消すという消臭効果がある。
【産業上の利用可能性】
【０００９】    現在有名メーカーにより生理用ナプキンが販売されている。そのメーカー各社が付属品としてナプキンと一体で発売する事により、普及させる事ができる。又、薬局、コンビニエンスストア等で、個別に販売する事が可能である。消耗品として女性に幅広く浸透することが期待でき、日本人的マナーも身に付けることができる。通称、生理用ナプキン処理紙袋携帯用（姫あかり）である。
【符号の説明】
【００１０】１．紙袋の表面で絵柄（例）を表す
２．紙袋の開け口でジッパーを表す
３．紙袋の背面
４．ジャバラ式で広がる
【図１】
0003211143.tif 000003
【図２】
0003211143.tif 000004
【図３】
0003211143.tif 000005
【手続補正書】
【提出日】平成29年4月1日(2017.4.1)
【手続補正１】
【補正対象書類名】実用新案登録請求の範囲
【補正対象項目名】全文
【補正方法】変更
【補正の内容】
【実用新案登録請求の範囲】
【請求項１】
生理用ナプキンの汚物処理を処理する時、密閉式の紙袋に入れて汚物ボックス等に破棄する、紙袋の内部には、消臭効果として、消臭剤又は液体を付着し又、遮水する事により外部に洩れないように工夫ナプキンを入れる開口はジッパー式や、接着テープ等で密封する構造になっている生理用ナプキンの汚物処理紙袋。